(57)【特許請求の範囲】
【請求項１】
パソコン装置に電気的に接続され、ユーザーの利き手によって操作モードの変更が可能なパソコン入力装置であって、前記パソコン入力装置は、
対向して往復するように押圧される２つの機能キーを有する本体と、
前記本体内部に設置される回路基板と、
前記回路基板に電気的に設置され、常態では右利きのユーザーに適用される第１操作モードで第１制御信号を前記パソコン装置に出力する、或いは左利きのユーザーに適用される第２操作モードで第２制御信号を前記パソコン装置に出力するプロセッサーと、
前記回路基板に設置されると共に２つの前記機能キーの位置にそれぞれ対応し、前記プロセッサーに電気的に接続され、２つの前記機能キーの押圧を受けて触発されると検知信号をそれぞれ発生して前記プロセッサーへ伝送する２つの検知スイッチと、を備え、
前記プロセッサーが２つの前記検知スイッチの前記検知信号を同時に受信すると、前記プロセッサーは前記第１操作モードから前記第２操作モードへと切換えて、前記第２制御信号を前記パソコン装置に出力する、或いは前記第２操作モードから前記第１操作モードへと切換えて前記第１制御信号を前記パソコン装置に出力することを特徴とする、操作モードの変更可能なパソコン入力装置。
【請求項２】
前記プロセッサーが２つの前記検知スイッチの前記検知信号を同時に受信し続ける時間が所定時間を超過すると、前記パソコン入力装置を前記第１操作モード或いは前記第２操作モードへと切換える事を特徴とする、請求項１に記載の操作モードの変更可能なパソコン入力装置。
【請求項３】
前記プロセッサーが何れか１つの前記検知スイッチの前記検知信号を受信すると、前記プロセッサーは既存設定の何れか１つの前記操作モードの前記制御信号を前記パソコン装置へと出力する事を特徴とする、請求項１に記載の操作モードの変更可能なパソコン入力装置。
【請求項４】
更に、前記回路基板に設置されると共に２つの前記機能キーの位置にそれぞれ対応する２つの発光部材を備え、
前記２つの前記発光部材は前記プロセッサーに電気的に接続され、
前記プロセッサーが前記パソコン入力装置を前記第１操作モードに切換えると、前記プロセッサーは何れか１つの前記発光部材を駆動して光線を発生し、
前記プロセッサーが前記パソコン入力装置を前記第２操作モードに切換えると、前記プロセッサーは他の前記発光部材を駆動して光線を発生することを特徴とする、請求項１に記載の操作モードを変更可能なパソコン入力装置。
【請求項５】
前記２つの前記機能キーは、前記本体の２つの対向する側面にそれぞれ設置される事を特徴とする、請求項１に記載の操作モードの変更可能なパソコン入力装置。
【請求項６】
パソコン入力装置に適用され、ユーザーの利き手によって操作モードの変更が可能な操作モードの調整方法であって、前記調整方法は、
２つの機能キーを同時に押圧して２つの検知スイッチを触発するステップと、
２つの前記検知スイッチが検知信号をそれぞれ発生してプロセッサーへ伝送するステップと、
前記プロセッサーが２つの前記検知信号を同時に受信し、前記パソコン入力装置を右利きのユーザーに適用される第１操作モードに切換えて第１制御信号をパソコン装置に出力する、または前記パソコン入力装置を左利きのユーザーに適用される第２操作モードに切換えて第２制御信号を前記パソコン装置に出力するステップと、を備えることを特徴とする、操作モードの調整方法。
【請求項７】
前記プロセッサーが２つの前記検知信号を同時に受信するステップにおいて、前記プロセッサーが２つの前記検知信号を同時に受信し続ける時間が所定時間を超過すると、前記パソコン入力装置を、前記第１操作モードまたは前記第２操作モードへと切換える事を特徴とする、請求項６に記載の操作モードの調整方法。
【請求項８】
前記プロセッサーが何れか１つの前記検知信号を受信し、既存設定の何れか１つの前記操作モードの前記制御信号を前記パソコン装置へと出力するステップを更に備える事を特徴とする、請求項６に記載の操作モードの調整方法。
【請求項９】
前記パソコン入力装置を前記第１操作モードに切換えると、前記プロセッサーは発光部材を駆動して光線を発生するステップと、
前記パソコン入力装置を前記第２操作モードに切換えると、前記プロセッサーは他の発光部材を駆動して光線を発生するステップと、を更に備える事を特徴とする、請求項６に記載の操作モードの調整方法。
【発明の詳細な説明】
【技術分野】
【０００１】
本発明は、パソコン入力装置に関し、より詳しくは、操作モードを変更可能なマウス及び操作モードの調整方法に関する。
【背景技術】
【０００２】
科学技術の発展と進歩に従い、パソコンやノートパソコン等のパソコン機器は、一般の日常生活や仕事に於いて既に必要不可欠な物品となっている。パソコンのユーザーはキーボード、マウス、トラックボール、ジョイスティック、タッチパネル等の外付け入力装置によって、パソコン機器上でソフトウェアを操作できる。現在最も汎くパソコン機器に使用される入力装置はマウス関連であり、パソコンを使用させる上では欠かせないハードウェア周辺機器となっている。
【０００３】
現在、マウスはパソコン機器のウィンドウインターフェースの操作のみならず、ネット閲覧にも欠かせないハードウェア周辺機器の１つである。例えばゲーム、ネットサーフィン或いはＣＧ処理等の異なる使用上の需要に合わせて操作条件を対応させる必要があり、これにより好ましいマウスの操作感を得る。但し、現在使用されるオペレーティングシステム（operating system、OS）にておいて、大部分の操作条件は右利き用の操作モードに合わせている。このような方式は右利きのユーザーにとっては操作が快適になるが、左利きのユーザーにとっては不便であった。市場には左利き用のマウス製品も出回っているが、市場での需要には限りがあり、このようなカスタマイズされた製品は他の製品に比べ選択の余地が少ないと言える。
【０００４】
このため、左利きのユーザーがより直感的に操作可能にするためには、マウスの左右のキーの機能を切換させる必要があった。従来の技術で最も頻繁に使用されるマウスの左右キーの機能切換方法はオペレーティングシステムでマウスの機能の設定を行い、パソコン装置へ伝送されるマウス操作信号が対応させる機能を変更させる。言い換えると、ユーザーがマウス装置の左利き、右利きの操作モードを変更させたいなら、オペレーティングシステムにて機能の設定を行い、マウス装置がパソコン装置へ伝送させる操作信号には如何なる変更もない。
【先行技術文献】
【特許文献】
【０００５】
【特許文献１】台湾特許公開第２０１２０１０５７号
【発明の概要】
【発明が解決しようとする課題】
【０００６】
しかしながら、前述した従来の技術では、左利き、右利きの操作モードの切換方式は面倒であり、ユーザーはオペレーティングシステムのインターフェースで設定を行わなければならず、時間が掛かる上に不便である。市場に出回る左利き、右利き共用のマウス装置には、マウス本体に操作モード切換キーが設置され、ユーザーが左利き、右利きの操作モードを変更させたいなら、この切換キーを押すのみで左利き、右利きの操作モードの調整が実現出来る。
【０００７】
然しながら、上述の切換キーを有するマウス装置の左利き、右利きの操作モードの切換方式はユーザーがオペレーティングシステムのインターフェースで調整させるのに代わり、マウス装置本体から検知信号がパソコン装置へと伝送されるもので、マウス装置本体のソフトウェア（software）或いはファームウェア（firmware）の技術自体には差異はない。これでは従来のマウス装置がパソコン装置へ伝送させる操作信号にも如何なる変化も無く、マウス装置の操作信号が既存設定に対応させる操作モードによりマウス装置が実行する機能を変更させる必要があるかの判断は、オペレーティングシステムの判断に頼らねばならない。
【０００８】
また、ユーザーは従来のマウス装置本体に対し左利き、右利きの操作モードの設定を行えず、もしマウス装置が異なるパソコン装置に使用された場合、パソコン装置のオペレーティングシステムで操作モードの使用環境を再設定させなければならず、ユーザーにとっては実際の使用上の需要に適っていない。
【０００９】
そこで、本発明者は上記の欠点が改善可能と考え、鋭意検討を重ねた結果、合理的設計で上記の課題を効果的に改善する本考案の提案に到った。
【００１０】
本発明は、このような従来の問題に鑑みてなされたものである。上記課題解決のため、本発明は、従来のマウス装置の操作モードの不便さを解消させる操作モードを変更可能なパソコン入力装置及び操作モードの調整方法を提供することを主目的とする。
【課題を解決するための手段】
【００１１】
上述した課題を解決し、目的を達成するために、本発明に係る操作モードを変更可能なパソコン入力装置は、パソコン装置に電気的に接続され、前記パソコン入力装置は本体、回路基板、プロセッサー及び２つの検知スイッチを備える。本体は２つの機能キーを有し、２つの機能キーは本体に対向して往復するように押圧する。回路基板は本体内部に設置され、プロセッサーは回路基板に電気的に設置される。プロセッサーは、常態では第１操作モードで第１制御信号をパソコン装置へと出力する、第２操作モードで第２制御信号をパソコン装置へと出力する。２つの検知スイッチは回路基板に設置され、且つ２つの機能キーの位置にそれぞれ位置し、２つの検知スイッチはプロセッサーに電気的に接続される。
【００１２】
２つの検知スイッチが２つの機能キーの押圧を受けて触発されると、２つの検知スイッチは検知信号をそれぞれ発生してプロセッサーへ伝送する。プロセッサーは２つの検知スイッチの検知信号を同時に受信した後、第１操作モードから第２操作モードへと切換えて第２制御信号をパソコン装置へと出力するか、或いは第２操作モードから第１操作モードへと切換えて第１制御信号をパソコン装置へと出力する。
【００１３】
また、本発明に係る操作モードの調整方法は、パソコン入力装置に適用される。調整方法は、２つの機能キーが同時に押圧されて２つの検知スイッチを触発し、２つの検知スイッチが検知信号をそれぞれ発生してプロセッサーへ伝送するステップと、プロセッサーが２つの検知信号を同時に受信し、パソコン入力装置を第１操作モードへ切換えて第１制御信号をパソコン装置へと出力するか、或いは前記パソコン入力装置を第２操作モードへ切換えさせ、第２制御信号をパソコン装置へと出力するステップと、を備える。
【発明の効果】
【００１４】
本発明によると、本発明のパソコン入力装置のプロセッサーにより最適な操作モードへと直接切換え、パソコン装置のオペレーティングシステムで操作モードの使用環境を再設定させる必要がない。オペレーティングシステムによってパソコン入力装置から伝送される操作信号が、パソコン入力装置で実行する機能に対応して変更するものであるかを判断する必要もない。ユーザーは素早くユーザーの使用習慣に適した操作感を有するパソコン入力装置が得られる。
【図面の簡単な説明】
【００１５】
【図１Ａ】本発明に係る一実施形態のパソコン入力装置の分解概略図である。
【図１Ｂ】本発明に係る一実施形態のパソコン入力装置の分解概略図である。
【図１Ｃ】本発明に係る一実施形態のパソコン入力装置の分解概略図である。
【図２Ａ】本発明に係る一実施形態のパソコン入力装置の傾斜組立図である。
【図２Ｂ】本発明に係る一実施形態のパソコン入力装置の傾斜組立図である。
【図３】本発明に係る一実施形態のパソコン入力装置の回路ブロック図である。
【図４】本発明に係る一実施形態の操作モードの調整方法のステップフローチャート図である。
【図５】本発明に係る二実施形態のパソコン入力装置の分解概略図である。
【図６】本発明に係る二実施形態のパソコン入力装置の傾斜組立図である。
【図７】本発明に係る二実施形態のパソコン入力装置の回路ブロック図である。
【図８】本発明に係る二実施形態の操作モードの調整方法のステップフローチャート図である。
【発明を実施するための形態】
【００１６】
以下、図面を参照して本発明を実施するための形態について、詳細に説明する。なお、本発明は、以下に説明する実施形態に限定されるものではない。
［一実施形態］
まず、本発明の操作モードを変更可能なパソコン入力装置の一実施形態について説明する。本発明の一実施形態の構成を図１Ａから図４に示す。図１Ａ乃至図３は本発明に係る一実施形態の傾斜概略図及び回路ブロック図であり、図４は本発明に係る一実施形態のステップフローチャート図である。本発明に係る一実施形態の操作モードを変更可能なパソコン入力装置１００はパソコン装置２００との電気的な接続関係を構成し、パソコン装置２００のオペレーティングシステムでパソコン入力装置１００のプリセット機能を実行する。
【００１７】
本発明に於けるパソコン装置２００は、デスクトップパソコン、ノートパソコン、或いはパソコン周辺機器に接続可能な電子製品であるが、装置の制限は無い。その他、本発明に提示するパソコン入力装置１００はマウス、トラックボール、ゲームコントローラー等の入力用周辺機器が含まれる、入力装置はこれらに制限されない。以下、本発明の詳細な説明ではマウスを本発明の最も好ましい実施形態とする。しかし、添付される図式は参考及び説明に用いられるのみで、本発明をこれに制限するものではない。
【００１８】
図１Ａ乃至図３によると、本発明に係る一実施形態のパソコン入力装置１００は、本体１１０、回路基板１２０、プロセッサー１３０及び２つの検知スイッチ１４０を備え、本体１１０は上ケース及び下ケースが組み合わされて構成される。内部には収納空間を構成し、本体１１０の上ケースには、本体１１０の上ケースに対向して往復するように押圧される２つの機能キー１１１が設置され、本体１１０の上ケースには２つのキー１１２及びロール１１３が更に設置され、プリセットされたマウス装置の機能を実行する。本実施形態の２つの機能キー１１１は、本体１１０の上ケースの対向し合う２つの側面（本体１１０の左右両側面）にそれぞれ設置され、２つの機能キー１１１の位置はユーザーがパソコン入力装置１００を持つ際の親指及び薬指の位置に対応し、設計上人間の手に完全に符号し、ユーザーが右利きか左利きかに拘わらず直感的に使用でき、本発明のパソコン入力装置１００の操作は更に快適且つ迅速になる。この他、本実施形態に掲示するキー１１２及びロール１１３は現在常用されるマウス装置が配する構造であり、実行される機能も従来のマウス装置と同じである。
【００１９】
本実施形態のパソコン入力装置１００の回路基板１２０は本体１１０の内部に設置され、回路基板１２０の本体１１０の下ケースに向けられる側面には光検知装置１２１及び発光ユニット１２２を電気的に設置させる。光検知装置１２１と発光ユニット１２２との組合せは光学方式でパソコン入力装置１００の転位距離を検知させる為であり、転位信号をパソコン装置２００のオペレーティングシステムに対する指標に転換させて操作を行うが、光学方式の検知及び転位の技術は既存の光学マウスに採用されている検知方式であるため、出願人は更なる詳述を省く。この他、本分野に習熟する技術者であれば、機械方式での転位距離の検知を選択して使用する事も可能であり、本発明で掲示する実施形態に制限するものではない。また、本実施形態の発光ユニット１２２は発光ダイオード（light emitting diode、LED）或いは電球を含むが、これらに制限されない。
【００２０】
また、プロセッサー１３０も回路基板１２０に電気的に設置される。本実施形態のプロセッサー１３０はマイクロコントロールユニット（microcontroller unit、MCU）であり、これにより本発明のパソコン入力装置の電気的制御及び動作を整合且つ統合させる。本実施形態のプロセッサー１３０は、常態では第１操作モードで第１制御信号をパソコン装置２００へと出力するか、第２操作モードで第２制御信号をパソコン装置２００へと出力するかを選択し、パソコン装置２００のオペレーティングシステム（operating system、OS）で第１操作モードまたは第２操作モードの動作を直接対応して実行する。
【００２１】
本実施形態の第１操作モードは右利きのユーザーに適用される右利き操作モードであり、第２操作モードは左利きのユーザーに適用される左利き操作モードである。パソコン入力装置１００のプロセッサー１３０が右利き操作モードで制御信号をパソコン装置２００へ伝送すると、パソコン装置２００のオペレーティングシステムは直接右利き操作モードを選択して制御を行う。或いは、パソコン入力装置１００のプロセッサー１３０が左利き操作モードで制御信号をパソコン装置２００へ伝送すると、パソコン装置２００のオペレーティングシステムは直接左利き操作モードを選択して制御を行う。
【００２２】
すなわち、本実施形態のパソコン装置２００は、パソコン入力装置１００から伝送される制御信号を受信するのみで、対応する操作モードを直接実行するため、従来の技術のようにパソコン装置のオペレーティングシステムで操作モードの使用環境を再設定する必要はない。この他、本分野を習熟する技術者であれば、実際の設計と使用上の需要に合わせ、本発明の第１操作モードを左利きのユーザー用の左利き操作モードに設定し、且つ第２操作モードを右利きのユーザー用の右利き操作モードに設定する事もできるため、本実施形態の使用態様はこれに制限されない。
【００２３】
図１Ａ乃至図４によれば、本実施形態の２つの検知スイッチ１４０は回路基板１２０に設置され、２つの検知スイッチ１４０はプロセッサー１３０に電気的に接続される。２つの検知スイッチ１４０の位置は、本体１１０の２つの機能キー１１１の位置にそれぞれ対応する。図４のステップ２００によると、本実施形態の操作モードの調整方法は、ユーザーが２つの機能キー１１１を押圧させた際、２つの機能キー１１１は本体１１０の内部へ向け転位させる力を受けて２つの検知スイッチ１４０をそれぞれ触発する。図４のステップ２１０によると、２つの検知スイッチ１４０は検知信号をそれぞれ発生してプロセッサー１３０へ伝送し、プロセッサー１３０が２つの検知スイッチ１４０の検知信号を同時に受信した後、プロセッサー１３０が既存設定の操作モードを変更し、パソコン装置２００へ出力される制御信号を変更する(図４のステップ２２０)。
【００２４】
詳しくは、本実施形態のパソコン入力装置１００にプリセットされるプロセッサー１３０が、常態では第１操作モード(右利き操作モード)で第１制御信号を出力させる際、右利きのユーザーはパソコン入力装置１００を直接使用でき、パソコン装置２００のオペレーティングシステムでは右利き操作モードが実行される。左利きのユーザーが本実施形態のパソコン入力装置１００を操作する場合、前記ユーザーは同時に２つの機能キー１１１を押圧し、２つの検知スイッチ１４０を触発させると同時に検知信号を発信してプロセッサー１３０へ受信し（図４のステップ２００及びステップ２１０）、プロセッサー１３０は初期設定の第１操作モードから第２操作モード（左利き操作モード）へと切換えを行い、第２制御信号をパソコン装置２００へと出力し（図４のステップ２２０）、パソコン装置のオペレーティングシステムに左利き操作モードを実行させるため、左利きのユーザーがパソコン装置２００をより快適に操作できる。もし、ユーザーが右利き操作モードに変更したい場合は、ユーザーは上述の機能キーの押圧動作を繰り返すのみで本実施形態のパソコン入力装置１００は第２操作モードから第１操作モードへと再度切換えられ、対応する制御信号をパソコン装置２００へ出力させる。
【００２５】
結果、ユーザーは本実施形態のパソコン入力装置１００の操作モードを切換えるのみで、パソコン装置２００のオペレーティングシステムで操作モードの使用環境を再設定する必要がないため、本発明を使用するパソコン入力装置１００は、パソコン装置２００が既存設定に対応する操作モードにより実行される機能を変更する必要があるかの判断ステップを省略でき、パソコン装置２００はパソコン入力装置１００から伝送される制御信号を直接受信して実行するのみでよい。
【００２６】
この他、ユーザーが不用意に本実施形態の機能キー１１１を触圧して、誤作動が起こるのを避けるため、本実施形態のパソコン入力装置１００はプロセッサー１３０が２つの検知スイッチ１４０が伝送させる検知信号を同時に受信し続ける時間が所定時間、例えば少なくとも３秒間を超過すると、プロセッサー１３０が他の操作モードへと切換えるように設定される。つまりは、もしユーザーが何れか１つの機能キー１１１を押圧、或いはプロセッサー１３０が２つの機能キー１１１が伝送させる検知信号を同時に受信し続ける時間が、設定の所定時間（例えば少なくとも３秒間）に達しない場合、プロセッサー１３０は実行する操作モードを切り換えずに、誤作動の発生を確実に防ぐ。注意すべきは、本実施形態のプロセッサー１３０が２つの機能キー１１１が発信させる検知信号を少なくとも３秒間同時に受信させ続ける技術は、本分野に習熟する技術者ならば実際の需要に応じ、本実施形態の継続時間を短縮或いは延長させて対応させる設計させる事ができるため、本実施形態の例に制限させない。
【００２７】
本発明のパソコン入力装置１００の優れた性能を得るため、本実施形態の２つの機能キー１１１は更に、例えばホットキーコマンド、マクロ機能、解像度調整等のプリセット機能をそれぞれ実行する。出願人はこの技術特性について更に説明する。ユーザーが、何れか１つの機能キー１１１を押圧するのみで、対応する検知スイッチ１４０を触発させると、検知スイッチ１４０は検知信号を伝送してプロセッサー１３０に受信させ、この際プロセッサー１３０は実行する既存の操作モードを切り換えない。図４のステップ２３０によると、既存設定の操作モードで機能キー１１１の対応する制御信号をパソコン装置２００へと出力し、オペレーティングシステムでプリセット機能を実行し、本実施形態のパソコン入力装置１００の多種類の操作機能を整合して使用する長所を達成する。当然ながら、機能キー１１１以外、本実施形態のパソコン入力装置１００のキー１１２とロール１１３とが触発されて発生される電気信号は、全てプロセッサー１３０により既存設定に対応される操作モード（第１操作モード或いは第２操作モード）の制御信号をパソコン装置２００へと伝送させ、オペレーティングシステムでプリセット機能を実行させる。
【００２８】
また、本実施形態のパソコン入力装置１００は２つの検知スイッチ１４０が同時に継続的に触発されることで、プロセッサー１３０を駆動させて異なる操作モードへ切換させるように設計される。ユーザーが何れか１つの機能キー１１１を押圧しただけならば、プロセッサー１３０を触発させて他の操作モードへと切換えさせることはない。
【００２９】
［第二実施形態］
次に、本発明のパソコン入力装置の二実施形態について説明する。
図５乃至図７は本発明に係る二実施形態のパソコン入力装置の傾斜概略図及び回路ブロック図であり、図８は本発明に係る二実施形態のステップフローチャート図である。本発明に係る二実施形態のパソコン入力装置１００の組成部材及び調整方法は上述の第１実施形態の組成構造及び調整方法に相似し、以下では本発明の二実施形態の技術的差異のある部分について詳細に説明する。
【００３０】
本発明に係る二実施形態のパソコン入力装置１００は本体１１０、回路基板１２０、プロセッサー１３０、２つの検知スイッチ１４０及び２つの発光部材１５０を備え、本体１１０の上ケースには、本体１１０の上ケースに対向させて往復するよう押圧される２つの機能キー１１１を設置させ、回路基板１２０は本体１１０の内部に設置され、プロセッサー１３０及び２つの検知スイッチ１４０は回路基板１２０に設置されると共に電気的な接続関係を構成させる。
【００３１】
本実施形態の２つの発光部材１５０は回路基板１２０に設置され、２つの発光部材１５０はプロセッサー１３０に電気的に接続され、２つの発光部材１５０の位置は本体１１０の２つの機能キー１１１の位置にそれぞれ対応させる。本実施形態の発光部材１５０は発光ダイオード（light emitting diode、LED）或いは電球を含むが、これに制限されるわけではない。
【００３２】
ユーザーが、パソコン入力装置１００が実行する操作モードを確認出来るよう、本実施形態では発光部材１５０が発生する光源により、本実施形態のパソコン入力装置１００がどの操作モードのプリセット機能を実行しているかを表示する。
【００３３】
例えば、図８のステップ２４０によると、本実施形態のパソコン入力装置の操作モードの調整方法は、パソコン入力装置１００のプロセッサー１３０が常態では第１操作モード（右利き操作モード）で制御信号を出力すると、プロセッサー１３０は回路基板１２０の左側に位置される発光部材１５０を同時に駆動して光線を発生し、本体１１０の左側面の機能キー１１１へ投射させ、右利きのユーザーに視覚的にパソコン入力装置１００の本体１１０の左側面に表示される光源をはっきりと視認する。これは、パソコン入力装置１００が右利き操作モードのプリセット機能を実行していることを示す。図８のステップ２５０によれば、もしプロセッサー１３０が常態では第２操作モード（左利き操作モード）で制御信号を出力するならば、プロセッサー１３０は回路基板１２０の右側に位置される発光部材１５０を同時に駆動して光線を発生し、本体１１０の右側面の機能キー１１１へ投射し、左利きのユーザーにパソコン入力装置１００の本体１１０の右側面に表示される光源をはっきりと視認させる。これは、パソコン入力装置１００が左利き操作モードのプリセット機能を実行させていることを示す。
【００３４】
上述の光源による表示は本実施形態のパソコン入力装置１００の操作モードが人間に完全に符号させる設計概念を示す。右利きのユーザーが右手で本実施形態のパソコン入力装置１００を持つと、ユーザーの指の大部分は本体１１０の右側面に位置されるため、ユーザーは本体１１０の左側面から光源が表示されているか直接視認できる。ユーザーは、即直感的に操作モードを確認できる。もしユーザーが本体１１０の左側面に光源を視認できない場合は、パソコン入力装置１００が右利きのユーザーに適用される右利き操作モードに設定されていないと判断する。この場合、ユーザーは２つの機能キー１１１を同時に直接押圧して操作モードの切換を行う。ユーザーはパソコン装置２００のオペレーティングシステムで操作モードを再度確認させる必要がなく、これにより操作モードの判断のステップ及び時間の浪費を大幅に省略させる。当然、左利きのユーザーも本実施形態のパソコン入力装置１００の操作モードを反対方向から確認する事である。
【００３５】
上述のように、本発明のパソコン入力装置はプロセッサーに対し操作モードを変更させるコマンドを実行し、プロセッサーに各キー或いは機能キーの触発信号を受信させた後、既存設定に対応させる操作モードの制御信号をパソコン装置へ出力し、パソコン装置のオペレーティングシステムでプリセット機能を直接実行させる。ユーザーは、異なるパソコン装置のオペレーティングシステムで操作モードの使用環境を再設定させる必要がなく、同時にオペレーティングシステムが既存設定の操作モードにより実行される機能の判断ステップを省略し、パソコン装置は本発明のパソコン入力装置が伝送させる制御信号を直接実行するのみでよい。これによりユーザーが本発明のパソコン入力装置を操作させる際の利便性が得られる。
【００３６】
以上、本発明の実施形態について図面を参照して詳述したが、具体的な構成はこの実施形態に限られるものではなく、本発明の要旨を逸脱しない範囲の設計変更等も含まれる。
【符号の説明】
【００３７】
１００  …  パソコン入力装置
１１０  …  本体
１１１  …  機能キー
１１２  …  キー
１１３  …  ロール
１２０  …  回路基板
１２１  …  光検知装置
１２２  …  発光ユニット
１３０  …  プロセッサー
１４０  …  検知スイッチ
１５０  …  発光部材
２００  …  パソコン装置
【要約】
【課題】従来のマウス装置の操作モードの不便さを解消させる操作モードを変更可能なパソコン入力装置及び操作モードの調整方法を提供する。
【解決手段】パソコン入力装置は本体、回路基板、プロセッサー及び２つの検知スイッチを備える。本体は、本体に対向して往復されるように押圧される２つの機能キーを有し、回路基板は本体内部に設置され、プロセッサー及び２つの検知スイッチは回路基板上に設置されると共に互いに電気的に接続される。プロセッサーは常態では第１操作モード或いは第２操作モードで制御信号をパソコン装置へと出力させ、検知スイッチがもし機能キーの押圧を受け触発されると、検知信号をそれぞれ発生させてプロセッサーへ伝送させる。プロセッサーが２つの検知スイッチの検知信号を同時に受信させた後、第１操作モードから第２操作モードへと切換、或いは第２操作モードから第１操作モードへと切り換える。
【選択図】図１Ａ【図１Ａ】
0005433063.tif 000002
【図１Ｂ】
0005433063.tif 000003
【図１Ｃ】
0005433063.tif 000004
【図２Ａ】
0005433063.tif 000005
【図２Ｂ】
0005433063.tif 000006
【図３】
0005433063.tif 000007
【図４】
0005433063.tif 000008
【図５】
0005433063.tif 000009
【図６】
0005433063.tif 000010
【図７】
0005433063.tif 000011
【図８】
0005433063.tif 000012